(57)【要約】  【課題】  カラー画像データをファクシミリ送信する場合、送信先での処理に応じて色空間の変換処理回数を減じることにより画質の劣化を防止するカラー画像送信方法及びカラー画像送信装置を提供する。  【解決手段】  外部から取得した画像データを、指定された送信先へ送信するカラー画像送信方法において、送信先での処理、すなわち送信先で出力するか、さらに転送するかに応じて送信する画像データの色空間を設定する。設定する色空間と送信先で対応可能な色空間とが合致していない場合、送信を停止し、合致していない旨を示す信号を出力する。【選択図】        図２
2005130012.tif 000002
【特許請求の範囲】
【請求項１】
外部から取得した画像データを、指定された送信先へ送信するカラー画像送信方法において、送信先での処理に関する情報に応じて送信する画像データの色空間を設定することを特徴とするカラー画像送信方法。
【請求項２】
送信先での処理に関する情報は、送信先で出力するか、さらに転送するかに関する情報であることを特徴とする請求項１記載のカラー画像送信方法。
【請求項３】
設定する色空間と送信先で対応可能な色空間とが合致していない場合、送信を停止し、合致していない旨を示す信号を出力することを特徴とする請求項１又は２記載のカラー画像送信方法。
【請求項４】
外部から取得した画像データを記憶するメモリと、該メモリに蓄積されている画像データを指定された送信先へ送信する手段とを備えるカラー画像送信装置において、送信先での処理に関する情報を取得する手段と、取得した送信先での処理に関する情報に応じて送信する画像データの色空間を設定する手段とを備えることを特徴とするカラー画像送信装置。
【発明の詳細な説明】
【技術分野】
【０００１】
本発明は、デジタルカメラ、デジタルビデオ等で撮影したカラー画像データを送信するカラー画像送信方法及びカラー画像送信装置に関する。
【背景技術】
【０００２】
近年、カラー複写装置、カラープリンタ等の画像形成装置が普及するに伴い、画像通信装置においても、カラー画像をスキャナで読み取り、又はデジタルカメラ、デジタルビデオ等で撮影したカラー画像を取り込み、取り込んだカラー画像を送信して、送信先のプリンタで印字出力（記録）できるカラー画像送信装置が開発されている。斯かるカラー画像送信装置では、大容量データであるカラー画像データをＪＰＥＧ符号化することによりデータ圧縮しており、通信負荷の低減を図っている。
【０００３】
カラー画像通信装置の通信方法はITU-T勧告として標準化が図られており、T.30、T.42、及びT.81が勧告されている。カラー画像データの符号化方式としては、勧告T.81のＪＰＥＧ（Joint Photographic Expert Group）方式が採用されている。
【０００４】
そして、デジタルカメラ、デジタルビデオ等で撮影したカラー画像データの表示には、ｓＹＣＣという色空間が用いられており、斯かる画像データを取り込む場合、ＪＰＥＧ符号化されたカラー画像データを伸張して、色空間ｓＹＣＣの画像として復元する。カラーファクシミリ送信では、色空間としてＣＩＥＬＡＢで表現されるカラー画像データしか標準化されていないことから、カラー画像データをファクシミリ送信する場合には、色空間をＣＩＥＬＡＢへ変換し、再度ＪＰＥＧ符号化してから送信する。
【０００５】
このようにカラー画像データをファクシミリ送信する場合、データ圧縮のための符号化処理の前に色空間の変換処理を行い、送信側・受信側の機器の仕様に応じて表示色空間を最適化する必要がある（特許文献１乃至４参照）。
【特許文献１】特開２００１−０１６４７３号公報
【特許文献２】特開２００１−１８６３６０号公報
【特許文献３】特開２００２−１８５８０２号公報
【特許文献４】特開２００２−２１８１４８号公報
【発明の開示】
【発明が解決しようとする課題】
【０００６】
しかし、上述した従来のカラー画像データを送信するカラーファクシミリ装置では、送信時に色空間としてＣＩＥＬＡＢで表現されるカラー画像データしか送信できない。したがって、受信機側へファクシミリ送信されたカラー画像データをそのまま印刷出力する場合は、色空間としてＣＩＥＬＡＢで表現されることから特に問題は生じない。一方、さらに他のあて先、例えばパーソナルコンピュータ（以下、ＰＣ）へ送信する場合、一度ＪＰＥＧ符号化されたカラー画像データを伸張して、色空間ＣＩＥＬＡＢの画像として復元し、色空間をｓＹＣＣへ変換してから再度ＪＰＥＧ符号化する必要があり、画像データの画質が劣化してしまうという問題点があった。
【０００７】
また、デジタルカメラ、デジタルビデオ等で撮影したカラー画像データを取り込む場合、ヘッダ情報が付与される。したがって、ヘッダ情報が付与されている場合は、色空間ｓＹＣＣの画像がＪＰＥＧ符号化されたカラー画像データであると判断することができ、該カラー画像データを他のあて先、例えば他のＰＣへ送信する場合、あえてＪＰＥＧ符号化されたカラー画像データを伸張して、色空間ｓＹＣＣの画像として復元し、再度ＪＰＥＧ符号化することで、画像データの画質を劣化させる必要性は無い。
【０００８】
本発明は斯かる事情に鑑みてなされたものであり、カラー画像データをファクシミリ送信する場合、送信先での処理に応じて色空間の変換処理回数を減じることにより画質の劣化を防止するカラー画像送信方法及びカラー画像送信装置を提供することを目的とする。
【課題を解決するための手段】
【０００９】
上記目的を達成するために第１発明に係るカラー画像送信方法は、外部から取得した画像データを、指定された送信先へ送信するカラー画像送信方法において、送信先での処理に関する情報に応じて送信する画像データの色空間を設定することを特徴とする。
【００１０】
第１発明のカラー画像送信方法では、外部で撮像された画像データを指定された送信先へ送信する場合に、送信した画像データを指定された送信先でどのように処理するのかに基づいて、送信する画像データの色空間を設定する。外部で撮像された画像データは色空間がｓＹＣＣに設定されており、送信先での処理に応じて、このまま送信するか、色空間をＣＩＥＬＡＢに変換して送信するのかを定める。これにより、色空間を変換する必要がない場合には、取得した画像データをそのままの状態で送信先へ送信することができ、無用な変換処理を行うことによる画質の劣化を未然に防止することが可能となる。
【００１１】
第２発明に係るカラー画像送信方法は、第１発明において、送信先での処理に関する情報は、送信先で出力するか、さらに転送するかに関する情報であることを特徴とする。
【００１２】
第２発明のカラー画像送信方法では、送信先で印刷出力する場合には、色空間をＣＩＥＬＡＢに変換して送信し、送信先で表示出力や、さらに転送する場合には、色空間がｓＹＣＣに設定されたままの状態で何等変換処理を行わずに送信する。これにより、送信先でさらに転送する場合には色空間を変換する必要がないことから、取得した画像データをそのままの状態で送信先へ送信することができ、無用な変換処理を行うことによる画質の劣化を未然に防止することが可能となる。
【００１３】
第３発明に係るカラー画像送信方法は、第１発明又は第２発明において、設定する色空間と送信先で対応可能な色空間とが合致していない場合、送信を停止し、合致していない旨を示す信号を出力することを特徴とする。
【００１４】
第３発明のカラー画像送信方法では、送信先で対応可能な色空間に設定されずに画像データが送信された場合、画像データの送信を中断し、色空間設定が相違している旨を示す信号を出力する。これにより、再度画像データを復元し、色空間を変換して符号化する処理を行うことがないため、送信先における画質の劣化を防止することが可能となる。
【００１５】
第４発明に係るカラー画像送信装置は、外部から取得した画像データを記憶するメモリと、該メモリに蓄積されている画像データを指定された送信先へ送信する手段とを備えるカラー画像送信装置において、送信先での処理に関する情報を取得する手段と、取得した送信先での処理に関する情報に応じて送信する画像データの色空間を設定する手段とを備えることを特徴とする。
【００１６】
第４発明のカラー画像送信装置では、外部で撮像された画像データを指定された送信先へ送信する場合に、送信した画像データを指定された送信先でどのように処理するのかに基づいて、送信する画像データの色空間を設定する。外部で撮像された画像データは色空間がｓＹＣＣに設定されており、送信先での処理に応じて、このまま送信するか、色空間をＣＩＥＬＡＢに変換して送信するのかを定める。これにより、色空間を変換する必要がない場合には、取得した画像データをそのままの状態で送信先へ送信することができ、無用な変換処理を行うことによる画質の劣化を未然に防止することが可能となる。
【発明の効果】
【００１７】
本発明によれば、送信したカラー画像データを送信先がさらに転送する場合、すなわち色空間を変換する必要がない場合には、取得した画像データをそのままの状態で送信先へ送信することができ、無用な変換処理を行うことによる画質の劣化を未然に防止することが可能となる。また、送信した画像データの色空間が送信先の色空間と合致していない場合、画像データに対して再処理を行うことなく送信を中断することで、色空間の変換処理、及び圧縮・伸張処理を繰り返すことによる送信先での画質の劣化を防止することが可能となる。
【発明を実施するための最良の形態】
【００１８】
以下、本発明をその実施の形態を示す図面を参照して具体的に説明する。図１は、本発明のカラー画像送信装置を適用したカラーファクシミリ装置２０の構成を示すブロック図である。
【００１９】
カラーファクシミリ装置２０は、制御部１、読取部２、記録部３、表示部４、操作部５、ＲＯＭ６、ＲＡＭ７、コーデック部８、画像メモリ９、モデム１０、ＮＣＵ（Network Control Unit）１１、外部インタフェース部１２等を備えている。カラーファクシミリ装置２０は、読取部２にて原稿を読取って画像データを取得する読取り機能、読取った画像データ、ファクシミリ通信により受信した画像データ、又は外部接続されたＰＣ、デジタルカメラ、デジタルビデオ等から取得した画像データを記録部３にて記録する記録機能、及び読取った画像データ、受信した画像データ、又は取得した画像データをファクシミリ送信する送信機能を備える。
【００２０】
制御部１は、具体的にはＣＰＵで構成されており、バス１３を介してカラーファクシミリ装置２０の上述したようなハードウェア各部と接続されており、上述したハードウェア各部を制御するとともに、ＲＯＭ６に格納された制御プログラムに従って、種々のソフトウェア的機能を実行してファクシミリの通信手順を実行する。読取部２は、例えばＣＣＤイメージセンサを利用して原稿を読取り、読取った画像データを出力する。具体的には、プラテンガラスに給送された原稿を光学ユニットが照射して走査し、原稿からの反射光をミラー、レンズ等を介してＣＣＤイメージセンサに取り込み、走査された原稿の画像データを読取る。カラー画像の読み取りは、画像の各画素から、ＲＧＢといった複数の色信号データを得ることで実行される。
【００２１】
記録部３は、電子写真方式のカラープリンタ装置であって、読取部２で読取った原稿の画像データ、ファクシミリ通信により受信した画像データ、外部のＰＣ、デジタルカメラ、デジタルビデオ等から取得した画像データ等に応じた画像を用紙にプリント出力する。表示部４は、液晶表示装置、ＣＲＴディスプレイ等の表示装置であり、カラーファクシミリ装置２０の動作状態を表示したり、ユーザへ操作入力を促す画面を表示したり、送信すべく読取った原稿の画像データ、他のファクシミリ装置、ＰＣ、デジタルカメラ、デジタルビデオ等から送信された画像データ等の表示を行う。
【００２２】
操作部５は、カラーファクシミリ装置２０を操作するために必要な文字キー、テンキー、短縮ダイヤルキー、ワンタッチダイヤルキー、各種のファンクションキー等を備えている。なお、表示部４をタッチパネル方式とすることにより、操作部５の各種のキーの内の一部又は全部を表示部４が代用することも可能である。ＲＯＭ６は、カラーファクシミリ装置２０の動作に必要な種々のソフトウェアのプログラムを予め格納している。ＲＡＭ７は、ＳＲＡＭ、フラッシュメモリ等で構成されソフトウェアの実行時に発生する一時的なデータを記憶する。
【００２３】
コーデック部８は、画像データを符号化圧縮するとともに、符号化圧縮されている画像データを復号する。白黒２値画像は、ＭＨ、ＭＲ、ＭＭＲ等の符号化方式によって符号化／復号化（圧縮／伸張）する。カラー画像は、ＪＰＥＧ、ＪＢＩＧ等の符号化方式によって符号化／復号化（圧縮／伸張）する。なお、読取部２で読み取ったカラー画像、又は外部接続されたＰＣ、デジタルカメラ、デジタルビデオ等から取得したカラー画像を印刷出力することを目的として符号化する場合、ＲＧＢ（赤、緑、青）の各々が８ビットずつで示される色信号データを、色空間ＣＩＥＬＡＢの画像に変換してから、上記符号化がなされる。斯かるデータ変換機能は、コーデック部８に含まれているものとする。画像メモリ９は、上記符号化がなされたカラー画像データを蓄積する。
【００２４】
モデム１０は、バス１３に接続されており、ファクシミリ通信が可能なファクシミリモデムである。また、モデム１０は、バス１５に接続されたＮＣＵ１１とも接続されている。ＮＣＵ１１は、公衆電話回線網（ＰＳＴＮ：Public Switched Telephone Network）との回線Ｌ１の閉結及び開放の動作を行うハードウェアであり、必要に応じてモデム１０をＰＳＴＮと接続する。そして、カラーファクシミリ装置２０は、ＰＳＴＮによって他のファクシミリ装置と接続されており、通常のファクシミリ通信が行うことができるようになっている。外部インタフェース部１２は、例えばＬＡＮの通信線Ｌ１を介して外部のデジタルカメラに接続されており、デジタルカメラで撮影されたカラー画像を受信する。そして、外部のデジタルカメラで作成・編集された各種のカラー画像データが通信線Ｌ２を介してカラーファクシミリ装置２０（外部インタフェース部１２）へ送信され、送信されたカラー画像データは、カラーファクシミリ装置２０のコーデック部８で符号化され、カラー画像データとして蓄積されている画像メモリ９から所定の機器へとファクシミリ送信される。
【００２５】
以下、上述した構成のカラーファクシミリ装置２０におけるカラー画像送信処理の動作について説明する。図２乃至図４は、本発明の実施の形態に係るカラー画像通信装置(カラーファクシミリ装置)でのカラー画像送信処理の動作手順を示すフローチャートである。
【００２６】
図２は、本発明の実施の形態に係るカラーファクシミリ装置での送信先の発呼までの動作手順を示すフローチャートである。図２に示すように、操作部５による送信指示及び指定された送信先を確認した場合（ステップＳ１）、画像メモリ９に蓄積されている、読取部２で読取られた画像データ、又は外部のＰＣ、デジタルカメラ、デジタルビデオ等から取得した画像データのヘッダ情報を確認する(ステップＳ２)。送信対象となる画像データがカラー画像データを含まない場合(ステップＳ３：ＮＯ)、従来のＧ３又はＧ４ファクシミリ送信手順で単色画像に対応する符号化方式であるＭＨ、ＭＲ、ＭＭＲ等の符号化方式によって符号化してファクシミリ送信する（ステップＳ４）。
【００２７】
送信対象となる画像データがカラー画像データを含む場合(ステップＳ３：ＹＥＳ)、該カラー画像データを特定する色空間がｓＹＣＣであるか否かを確認する(ステップＳ５)。色空間がｓＹＣＣではない場合(ステップＳ５：ＮＯ)、色空間はＣＩＥＬＡＢであることから、読取部２で読取られたカラー画像データであると判断し、通常のカラー画像に対応する符号化方式、例えばＪＰＥＧ方式による符号化を行って、ファクシミリ送信を行う（ステップＳ６）。
【００２８】
色空間がｓＹＣＣである場合(ステップＳ５：ＹＥＳ)、指定された送信先で画像データを出力するか否かを確認する(ステップＳ７)。送信先で画像データを出力するか否かは、事前に送信先識別情報ごとに画像データを出力するか否かを指定した照会情報を記憶しておき、画像データのヘッダ情報中の送信先識別情報に基づいて該照会情報を照会することにより、制御部１が判断する。なお、送信先識別情報により送信先で画像データを出力するか否かが固定されている必要はなく、画像データを送信するごとに指定できる手段を備えるものであってもよい。
【００２９】
指定された送信先で画像データを出力する場合(ステップＳ７：ＹＥＳ)、ヘッダ情報を削除することでカラー画像データのみを抽出し、色空間をＣＩＥＬＡＢに変換して(ステップＳ８)、カラー画像データをＪＰＥＧ方式により符号化する(ステップＳ９)。
【００３０】
指定された送信先で画像データを出力しない場合(ステップＳ７：ＮＯ)、特に色空間の変換処理を行う必要がなく、取得した画像データを伸張する必要もないことから、そのまま送信データとする。
【００３１】
そして、設定された色空間の状態で符号化されたカラー画像データの、送信先に対する送信を開始すべく発呼する(ステップＳ１０)。
【００３２】
図３は、発呼してから画像データ送信準備が完了するまでの動作手順を示すフローチャートである。図３において、送信先に対する送信を開始すべく発呼し(ステップＳ１０)、ＤＩＳ（ディジタル識別信号）を受信するまで待機する(ステップＳ１１)。所定の時間内にＤＩＳを受信できない場合(ステップＳ１２：ＹＥＳ)、送信先に対して再発呼する(ステップＳ１３)。
【００３３】
所定の時間内にＤＩＳを受信した場合(ステップＳ１１：ＹＥＳ、ステップＳ１２：ＮＯ)、制御部１はＤＩＳの内容を解析して、送信先のファクシミリ装置にカラー画像を受信する機能が有るか否かを確認する(ステップＳ１４)。送信先のファクシミリ装置にカラー画像を受信する機能が無い場合(ステップＳ１４：ＮＯ)、ＤＣＮ（切断命令信号）を送信して回線を切断し、ファクシミリ送信処理を強制終了させ(ステップＳ１５)、その旨のメッセージを記録部３へ印刷出力又は表示部４へ表示出力する(ステップＳ１６)。もちろん、メッセージを出力するものに限定されるものではなく、例えば警告音を出力するものであってもよい。
【００３４】
送信先のファクシミリ装置にカラー画像を受信する機能が有る場合(ステップＳ１４：ＹＥＳ)、送信先のファクシミリ装置に設定されている色空間と、送信したカラー画像データの色空間とが一致するか否かを確認する(ステップＳ１７)。送信先のファクシミリ装置に設定されている色空間と、送信したカラー画像データの色空間とが一致しない場合には(ステップＳ１７：ＮＯ)、ＤＣＮ（切断命令信号）を送信して回線を切断し、ファクシミリ送信処理を強制終了させ(ステップＳ１５)、その旨のメッセージを記録部３へ印刷出力する(ステップＳ１６)。もちろん、メッセージを出力するものに限定されるものではなく、例えば警告音を出力するものであってもよい。
【００３５】
送信先のファクシミリ装置に設定されている色空間と、送信したカラー画像データの色空間とが一致する場合には(ステップＳ１７：ＹＥＳ)、ＤＣＳ（ディジタル命令信号）及びＴＣＦ（トレーニングチェック信号）を送信し(ステップＳ１８)、ＣＦＲ（受信準備確認信号）を受信する（ステップＳ１９）。
【００３６】
図４は、画像データ送信準備が完了してからの動作手順を示すフローチャートである。図４において、カラー画像に対応する符号化方式であるＪＰＥＧ方式で符号化されたカラー画像データを送信し(ステップＳ２１)、カラー画像データの末尾には、全体の送信処理の終了を示すＥＯＰ(手順終了信号)を送信する(ステップＳ２２)。そして、ＭＣＦ（メッセージ確認信号）を受信した場合(ステップＳ２３)、ＤＣＮ（切断命令信号）を送信して(ステップＳ２４)、送信処理を完了する。
【００３７】
以上のように、本実施の形態によれば、送信したカラー画像データを送信先がさらに転送する場合、すなわち色空間を変換する必要がない場合には、取得した画像データをそのままの状態で送信先へ送信することができ、無用な変換処理を行うことによる画質の劣化を未然に防止することが可能となる。また、送信した画像データの色空間が送信先の色空間と合致していない場合、画像データに対して再処理を行うことなく送信を中断することで、色空間の変換処理、及び圧縮・伸張処理を繰り返すことによる送信先での画質の劣化を防止することが可能となる。
【００３８】
なお、本実施の形態ではカラーファクシミリ装置を例として説明しているが、ファクシミリ複合装置、ファクシミリデータ中継装置等、取得したカラー画像データをファクシミリデータとして送信する全ての装置に本発明を適用できることは言うまでもない。
【図面の簡単な説明】
【００３９】
【図１】本発明のカラー画像通信装置（カラーファクシミリ装置）の構成を示すブロック図である。
【図２】本発明の実施の形態に係るカラーファクシミリ装置での送信先の発呼までの動作手順を示すフローチャートである。
【図３】本発明の実施の形態に係るカラーファクシミリ装置での画像データ送信準備が完了してからの動作手順を示すフローチャートである。
【図４】本発明の実施の形態に係るカラーファクシミリ装置での送信先の発呼までの動作手順を示すフローチャートである。
【符号の説明】
【００４０】
１  制御部
２  読取部
３  記録部
５  操作部
６  ＲＯＭ
７  ＲＡＭ
８  コーデック部
９  画像メモリ
１０  モデム
１１  ＮＣＵ
１２  外部インタフェース部
【図１】
2005130012.tif 000003
【図２】
2005130012.tif 000004
【図３】
2005130012.tif 000005
【図４】
2005130012.tif 000006